(57)【要約】【課題】少量の炭酸ガスでも効率的に生体の皮膚及び粘膜から吸収させるとともに、カバー内の空気等の排出や、カバー内部の圧力調整を簡単に行うことができる炭酸ガスミスト圧浴用カバーを提供する。【解決手段】所定値以上の濃度の炭酸ガスと液体を破砕乳化したミストを封入して生体の皮膚及び粘膜に直接接触させるための炭酸ガスミスト圧浴用カバー１００であって、生体の皮膚及び粘膜を覆う袋状の生体カバー部材１０１と、生体カバー部材１０１の開口部に設けられる締付手段１０２と、炭酸ガスミスト圧浴用カバー１００内に炭酸ガスミストを導入するための、内部に逆流防止弁を有する炭酸ガスミスト供給口１０３と、炭酸ガスミスト圧浴用カバー１００内に封入された空気、炭酸ガスミスト、及び炭酸ガスの量を調整及び排出する排出口１０４と、生体カバー部材１０１内を加圧するための加圧手段１０５と、を備える。【選択図】図１
0003149167.tif 000002
【実用新案登録請求の範囲】
【請求項１】
所定値以上の濃度の炭酸ガスと液体を破砕乳化したミストを封入して生体の皮膚及び粘膜に直接接触させるための炭酸ガスミスト圧浴用カバーであって、
前記生体の皮膚及び粘膜を覆う袋状の生体カバー部材と、
前記生体カバー部材の開口部に設けられ、該開口部を締め付けて前記炭酸ガスミストの放散を防ぐ締付手段と、
前記炭酸ガスミスト圧浴用カバー内に前記炭酸ガスミストを導入するための、内部に逆流防止弁を有する炭酸ガスミスト供給口と、
前記炭酸ガスミスト圧浴用カバー内に封入された空気、炭酸ガスミスト、及び炭酸ガスの量を調整及び排出する排出口と、
前記生体カバー部材内を加圧するための加圧手段と、
を備えることを特徴とする炭酸ガスミスト圧浴用カバー。
【請求項２】
前記締付手段が、ゴム、紐、または面ファスナーのうち何れか一つまたは複数の組み合わせにより構成されることを特徴とする請求項１に記載の炭酸ガスミスト圧浴用カバー。
【請求項３】
前記生体カバー部材の生体の皮膚及び粘膜に接触する面に、該生体の皮膚及び粘膜に対して粘着性を有する貼着手段を一つまたは複数設けることを特徴とする請求項１または２に記載の炭酸ガスミスト圧浴用カバー。
【請求項４】
前記生体カバー部材の形状が、少なくとも人体の手指、手の平、及び手の甲を覆う手袋形状であることを特徴とする請求項１乃至３の何れか一項に記載の炭酸ガスミスト圧浴用カバー。
【請求項５】
前記生体カバー部材の形状が、さらに少なくとも前腕を覆う長手袋形状であることを特徴とする請求項４に記載の炭酸ガスミスト圧浴用カバー。
【請求項６】
前記生体カバー部材の形状が、少なくとも人体の足指、足底、及び足の甲を覆う靴下形状であることを特徴とする請求項１乃至３の何れか一項に記載の炭酸ガスミスト圧浴用カバー。
【請求項７】
前記生体カバー部材の形状が、さらに少なくとも踝及び下肢を覆う長靴下形状であることを特徴とする請求項６に記載の炭酸ガスミスト圧浴用カバー。
【請求項８】
前記生体カバー部材は天然ゴム、シリコンゴム、ポリエチレン、ポリプロピレン、ポリ塩化ビニリデン、ポリスチレン、ポリ酢酸ビニル、ポリ塩化ビニル、ポリアミド系樹脂、ポリテトラフルオロエチレンのうち何れか一つまたは複数の組み合わせにより形成されることを特徴とする請求項１に記載の炭酸ガスミスト圧浴用カバー。
【請求項９】
前記加圧手段が、前記生体カバー部材に連通された中空のガス溜部から構成され、
該ガス溜部を押圧して該ガス溜部内の炭酸ガスミスト及び炭酸ガスを、前記生体カバー部材に排出することにより加圧を行うことを特徴とする請求項１に記載の炭酸ガスミスト圧浴用カバー。
【請求項１０】
前記ガス溜部と前記生体カバー部材との間に、内部に逆流防止弁を有する接続部を設けることを特徴とする請求項９に記載の炭酸ガスミスト圧浴用カバー。
【請求項１１】
前記加圧手段が、前記生体カバー部材の狭窄手段から構成され、
該狭窄手段によって前記生体カバー部材を端部から狭窄することにより、前記生体カバー部材内の容積を小さくすることで加圧を行うことを特徴とする請求項１に記載の炭酸ガスミスト圧浴用カバー。
【請求項１２】
前記加圧手段が弾性を有するリング部材から構成され、
前記リング部材の収縮力により、前記リング部材の内周で前記生体カバー部材の外周を押圧することにより加圧することを特徴とする請求項１に記載の炭酸ガスミスト圧浴用カバー。
【請求項１３】
前記加圧手段が、前記生体カバー部材を生体の挿入側とガス溜部とに画成する弾性部材からなる遮蔽膜と、前記ガス溜部に接続されるポンプと、から構成され、
前記ポンプから前記ガス溜部内に気体を送出することで前記遮蔽膜を前記ガス溜部から前記生体の挿入部側に膨張させることにより加圧を行うことを特徴とする請求項１に記載の炭酸ガスミスト圧浴用カバー。
【考案の詳細な説明】
【技術分野】
【０００１】
本考案は、炭酸ガスを生体の皮膚及び粘膜に直接接触させる炭酸ガスミスト圧浴に用いる炭酸ガスミスト圧浴用カバーに関する。
【背景技術】
【０００２】
従来から、炭酸ガス（二酸化炭素：ＣＯ２）は生体の皮膚及び粘膜に触れるだけでその皮下に浸透し、浸透部位の血管を拡張させて血液循環を改善する作用があることが知られている。そしてこの血行促進作用により、血圧降下、代謝の改善、疼痛物質や老廃物の排除促進等、様々な生理的効果を発揮する。また、抗炎症、抗菌作用も有している。このため、近年、炭酸ガスは医療目的のほか、健康増進、美容促進といった点からも広く注目を集めている。
【０００３】
生体の組織中で二酸化炭素は、赤血球内のヘモグロビンに結合して運ばれた酸素を放出させる働きがある。二酸化炭素濃度の高いところでは、赤血球はより多くの酸素を放出する。このように、赤血球による細胞への酸素の供給は、主に二酸化炭素がコントロールしている。つまり、二酸化炭素なしでは、ヘモグロビンは酸素が結合したままの状態となり、細胞は酸素を受け取ることができなくなってしまう。このように、二酸化炭素は、細胞の活動の結果出てくる老廃物のように思われがちだが、実は体の中で非常に重要な役割を果たしている。
【０００４】
そこで、炭酸ガスを生体に直接吸収させるため、本考案者は生体の皮膚及び粘膜を覆う炭酸ガスミスト圧浴用カバーを用いた炭酸ガスミスト圧浴装置及び炭酸ガスミスト圧浴システムをこれまでに提案している。
【考案の開示】
【考案が解決しようとする課題】
【０００５】
しかしながら、上記の炭酸ガスミスト圧浴に用いる従来の袋状の炭酸ガスミスト圧浴用カバーでは、カバー内の空気や炭酸ガスミストを排出するためには、カバーの締付部や止着部をその都度外す手間が必要であるという問題があった。また、炭酸ガスミスト圧浴用カバー内の圧力が高くなりすぎた際にも、同様に締付部や止着部を外して一旦開放し、再度炭酸ガスミストを送り込まなければならず、非常に煩雑であった。
【０００６】
そこで本考案は、上記状況に鑑みて、少量の炭酸ガスでも効率的に生体の皮膚及び粘膜から吸収させるとともに、炭酸ガスミスト圧浴用カバー内の空気等の排出や、カバー内部の圧力調整を簡単に行うことができる炭酸ガスミスト圧浴用カバーを提供することを目的とする。
【課題を解決するための手段】
【０００７】
上記課題を解決するために、本考案は、所定値以上の濃度の炭酸ガスと液体を破砕乳化したミストを封入して生体の皮膚及び粘膜に直接接触させるための炭酸ガスミスト圧浴用カバーであって、前記生体の皮膚及び粘膜を覆う袋状の生体カバー部材と、前記生体カバー部材の開口部に設けられ、その開口部を締め付けて前記炭酸ガスミストの放散を防ぐ締付手段と、前記炭酸ガスミスト圧浴用カバー内に前記炭酸ガスミストを導入するための、内部に逆流防止弁を有する炭酸ガスミスト供給口と、前記炭酸ガスミスト圧浴用カバー内に封入された空気、炭酸ガスミスト、及び炭酸ガスの量を調整及び排出する排出口と、前記生体カバー部材内を加圧するための加圧手段と、を備えることを特徴とする炭酸ガスミスト圧浴用カバーを提供するものである。
【０００８】
なお、本願においては、液体と気体（炭酸ガス等）を接触混合させて破砕し微細な液滴にすることを、破砕乳化または単に乳化という。
【０００９】
ここで、前記締付手段は、ゴム、紐、または面ファスナーのうち何れか一つまたは複数の組み合わせにより構成されるのが好ましい。また、前記生体カバー部材の生体の皮膚及び粘膜に接触する面に、その生体の皮膚及び粘膜に対して粘着性を有する貼着手段を一つまたは複数設けるのが好適である。
【００１０】
なお、前記生体カバー部材の形状は、少なくとも人体の手指、手の平、及び手の甲を覆う手袋形状、あるいは、さらに少なくとも前腕を覆う長手袋形状であるのが良い。または、少なくとも人体の足指、足底、及び足の甲を覆う靴下形状、あるいは、さらに少なくとも踝及び下肢を覆う長靴下形状であるのが良い。
【００１１】
また、前記生体カバー部材は天然ゴム、シリコンゴム、ポリエチレン、ポリプロピレン、ポリ塩化ビニリデン、ポリスチレン、ポリ酢酸ビニル、ポリ塩化ビニル、ポリアミド系樹脂、ポリテトラフルオロエチレンのうち何れか一つまたは複数の組み合わせにより形成されるのが好ましい。
【００１２】
ところで、前記加圧手段は、前記生体カバー部材に連通された中空のガス溜部から構成され、そのガス溜部を押圧して該ガス溜部内の炭酸ガスミスト及び炭酸ガスを、前記生体カバー部材に排出することにより加圧を行うのが好適である。そして、前記ガス溜部と前記生体カバー部材との間に、内部に逆流防止弁を有する接続部を設けるようにしても良い。
【００１３】
あるいは、前記加圧手段は、前記生体カバー部材の狭窄手段から構成され、該狭窄手段によって前記生体カバー部材を端部から狭窄することにより、前記生体カバー部材内の容積を小さくすることで加圧を行うようにしても良い。
【００１４】
または、前記加圧手段が弾性を有するリング部材から構成され、前記リング部材の収縮力により、前記リング部材の内周で前記生体カバー部材の外周を押圧することにより加圧する構成であっても良い。
【００１５】
さらには、前記加圧手段が、前記生体カバー部材を生体の挿入側とガス溜部とに画成する弾性部材からなる遮蔽膜と、前記ガス溜部に接続されるポンプと、から構成され、前記ポンプから前記ガス溜部内に気体を送出することで前記遮蔽膜を前記ガス溜部から前記生体の挿入部側に膨張させることにより加圧を行う構成であっても良い。
【考案の効果】
【００１６】
本考案によれば、大量の炭酸ガスを必要とせず、さらに炭酸ガスミスト圧浴用カバー内の空気等の排出や、カバー内部の圧力調整を簡単に行いながら、効率的に炭酸ガスミストを生体の皮膚及び粘膜から吸収させることが可能となる。
【考案を実施するための最良の形態】
【００１７】
以下、本考案の実施の形態について、図面を参照しながら詳細に説明する。
【００１８】
まず、本考案の炭酸ガスミスト圧浴用カバーを適用する炭酸ガスミスト圧浴用システムの概略について説明する。図１は、炭酸ガスミスト圧浴用システムの一例を示す模式図である。この図に示すように、炭酸ガスミスト圧浴システムは、炭酸ガス供給手段１１と、液体供給手段２１と、液体と炭酸ガスを破砕乳化した状態で供給する炭酸ガスミスト供給手段３１と、供給された炭酸ガスミストを内部に封入する空間を形成する炭酸ガスミスト圧浴用カバー１００と、炭酸ガスミストの生成及び供給制御を行う制御装置５１と、から構成される。
【００１９】
炭酸ガス供給手段１１は、炭酸ガスミスト供給手段３１に炭酸ガスを供給する。ただし、炭酸ガスミスト圧浴用カバー１００内にミストが十分に供給されている場合は、直接炭酸ガス供給手段１１から炭酸ガスのみを炭酸ガスミスト圧浴用カバー１００内に供給する。この炭酸ガス供給手段１１としては炭酸ガスボンベを用いるのが最適である。なお、炭酸ガス供給手段１１には、炭酸ガスの圧力調整のためのレギュレータ１２が設けられている。
【００２０】
液体供給手段２１は、ポンプ等から構成され、炭酸ガスミスト供給装置３１に液体を供給する。この液体としては、水またはイオン水を用いるのが良い。液体には、メンソール等の清涼作用を生じさせる薬剤や、血行をより促進させるビタミンＥ、皮膚組織に吸収されやすく美肌効果の高いビタミンＣ誘導体、皮膚の角化作用を正常にし粘膜を保護するレチノール、皮膚及び粘膜への刺激を和らげるための麻酔薬、炭酸ガスの臭気を除去するためのシクロデキストリン、皮膚及び粘膜表面に付着している細菌等を殺菌するための薬剤（例えば光触媒とアパタイトの複合体）、保水力に優れ肌の保湿効果を有するヒアルロン酸、細胞を活性化し免疫力を向上させるコエンザイムＱ１０、抗酸化物質や多量の栄養素を含むシードオイル、抗酸化作用、抗菌作用、抗炎症作用、鎮痛・麻酔作用、免疫作用等を有するプロポリス等を単独あるいは複数組み合わせて混合して炭酸ガスミスト供給装置３１へ供給し、炭酸ガスの生理作用との相乗効果を生じさせることも可能である。
【００２１】
また、図１に示すように、複数の液体供給手段２１Ａ、２１Ｂを配置し、それぞれ異なる液体を供給するようにしても良い。この液体供給手段２１には、供給圧調整のための圧力計２２（２２Ａ、２２Ｂ）をそれぞれ設ける。また、液体を加温する（例えば水を４０℃程度の湯にする）ためのヒータ（図示せず）や、温度制御のための温度計（図示せず）をそれぞれ設けるのが望ましい。
【００２２】
炭酸ガスミスト供給装置３１は、液体供給手段２１から供給された液体と炭酸ガス供給手段１１から供給された炭酸ガスとを破砕乳化したミスト状態で炭酸ガスミスト圧浴用カバー１００内に加圧供給する装置である。炭酸ガスは、液体と乳化したミスト状態で供給することで、皮膚及び粘膜からの吸収が促進される。この際、ミストの粒径は１０μｍ以下であるのが最適である。ここでは、流体ノズル３２を備え、炭酸ガス供給手段１１から供給された炭酸ガスの高速流を利用して液体を破砕乳化させてミストとし、炭酸ガスミスト圧浴用カバー１００内に供給する例を示している。このほか、液体中に炭酸ガスを高圧で噴射することにより炭酸ガスミストを生成する装置等、様々な方式の炭酸ガスミスト供給装置を用いることができる。
【００２３】
制御装置５１は、ＣＰＵ、メモリ、ディスプレイを備えたコンピュータから構成される。そして、炭酸ガス供給手段１１から供給される炭酸ガスの圧力やオン・オフ切替、炭酸ガスミスト供給装置３１／炭酸ガスミスト圧浴用カバー１００への炭酸ガスの供給切替、液体供給手段２１からの液体の供給圧や温度、供給のオン・オフ切替、炭酸ガスミスト供給装置３１からの炭酸ガスミストの供給のオン・オフ切替等の各種制御を行い、最適な状態で炭酸ガスミスト圧浴が行えるようにする。
【００２４】
炭酸ガスミスト圧浴用カバー１００は、生体（ここでは例として人体の手部）の皮膚及び粘膜を覆い、炭酸ガスミスト及び炭酸ガスを内部に封入する空間を形成できるカバーである。図２は、本考案の一実施形態に係る炭酸ガスミスト圧浴用カバーの全体概略図、図３は、その炭酸ガスミスト圧浴用カバーの装着状態を示す模式図である。
【００２５】
炭酸ガスミスト圧浴用カバー１００は、これらの図に示すように、生体の皮膚及び粘膜を覆う袋状の生体カバー部材１０１と、この生体カバー部材１０１の開口部に設けられ、開口部を閉じて炭酸ガスミスト及び炭酸ガスの放散を防ぐ締付部１０２と、内部に逆流防止弁を備え、炭酸ガスミスト圧浴用カバー１００の内部に炭酸ガスミスト及び炭酸ガスを導入する炭酸ガスミスト供給口１０３と、炭酸ガスミスト圧浴用カバー１００の内部の空気や炭酸ガスミスト、炭酸ガスの量を調整したり排出したりするための排出口１０４と、生体カバー部材１０１内を加圧するための加圧部１０５と、から構成される。なお、図示１０７は、加圧部１０５と生体カバー部材１０１とを接続する接続部である。この接続部１０７内には、加圧部１０５から生体カバー部材１０１への気体の流れの逆流を防ぐ逆流防止弁が設けられている。
【００２６】
生体カバー部材１０１は、生体の部位（ここでは例として、人体の手部）を被覆できる程度の大きさの袋体から構成される。また、生体カバー部材１０１は、非通気性素材の織布または不織布等から形成される。例えば、天然ゴム、シリコンゴム、ポリエチレン、ポリプロピレン、ポリ塩化ビニリデン、ポリスチレン、ポリ酢酸ビニル、ポリ塩化ビニル、ポリアミド系樹脂、ポリテトラフルオロエチレン等からなるのが好適である。
【００２７】
生体カバー部材１０１の開口部には、炭酸ガスミスト及び炭酸ガスの漏出を防ぐための締付部１０２が設けられている。ここでは一例として、締付部１０２は紐１０２ａと紐止め１０２ｂから構成される。締付部１０２は上記のような紐のほか、ゴム、面ファスナー等を単独あるいは複数組み合わせて構成しても良い。
【００２８】
生体カバー部材１０１の開口部には、上記の締付部１０２のほか、生体カバー部材１０１内の密閉性を高めるためにさらに、貼着部１０６が設けられている。貼着部１０６は生体の皮膚及び粘膜に粘着する素材からなり、生体カバー部材１０１の開口部や締付部１０２の内側面のほか、生体の皮膚及び粘膜が接触する面に複数設けても良い。貼着部１０６は、例えばポリウレタンやシリコンゴム等からなる粘弾性ゲルであるのが好ましい。また、取り外し可能であり、使用の都度あるいは粘性が弱くなれば交換できる構成とするのが最適である。
【００２９】
炭酸ガスミスト供給口１０３は、炭酸ガスミスト圧浴用カバー１００内部に炭酸ガスミスト及び炭酸ガスを導入するために炭酸ガスミスト圧浴用カバー１００と連通して設けられている。この炭酸ガスミスト供給口１０３に炭酸ガスミスト供給装置３１や炭酸ガス供給手段１１等の炭酸ガスミスト及び炭酸ガスの供給手段を接続して、炭酸ガスミスト圧浴用カバー１００内に炭酸ガスミスト及び炭酸ガスを供給する。炭酸ガスミスト及び炭酸ガスの逆流を防止するため、この炭酸ガスミスト供給口１０３内部には逆流防止弁が配置されている。なお、本実施形態の炭酸ガスミスト圧浴用カバー１００では、炭酸ガスミスト供給装置３１と炭酸ガス供給手段１１からの炭酸ガスミスト及び炭酸ガスは、まず供給部１０３から加圧部１０５に供給され、接続部１０７を介して生体カバー部材１０１内に供給される。
【００３０】
排出口１０４は、炭酸ガスミスト圧浴用カバー１００内の空気を抜く際や、炭酸ガスミスト圧浴用カバー１００内の炭酸ガスミストや炭酸ガスを抜いて圧力を調整する際に、それら空気や炭酸ガスミスト及び炭酸ガスを排出するための通気口である。排出口１０４は、通常時は弁やキャップ等で通気を防止しており、上記排出を行う際にのみ開弁させたりキャップを外したりすることにより通気が可能になる構造を有している。
【００３１】
加圧部１０５は、生体カバー部材１０１内を加圧する手段であり、ここでは生体カバー部材１０１と接続部１０７を挟んで連通している中空のガス溜から構成されている。生体カバー部材１０１内に炭酸ガスミスト及び炭酸ガスを導入した後、さらに加圧部１０５に炭酸ガスミストまたは炭酸ガスを溜め、図３の矢印に示す通り加圧部１０５を押し潰すように加圧すると、接続部１０７を介して加圧部１０５内の炭酸ガスミストまたは炭酸ガスが生体カバー部材１０１へ排出される。これにより生体カバー部材１０１内が加圧される。
【００３２】
なお、加圧部１０５は、手動で押圧する構成としても良いし、駆動装置等を用いて制御手段５１の制御で機械的に行っても良い。炭酸ガスミスト圧浴における加圧は、所定のインターバルでパルス状に行うことにより効果が高まるため、加圧部１０５を一定のリズムで間歇的に押圧させても良い。その際の加圧の間隔は、脈の拍動にほぼ同期させると効果が高くなる。
【００３３】
生体カバー部材１０１内には、その内部の圧力を計測するための圧力計６１が設置されている。制御装置５１は、炭酸ガスミスト圧浴用カバー１００内の圧力値を１気圧以上（より好適には１．０５乃至２．５気圧程度）に保つため、この圧力計６１の計測値に基づき、炭酸ガスミスト及び炭酸ガスの供給と加圧部１０５での加圧を制御する。また、炭酸ガスミスト圧浴用カバー１００の内部には炭酸ガスミスト圧浴用カバー１００内の温度を計測するための温度計６２が設置されている。制御装置５１は、炭酸ガスミスト圧浴用カバー１００内を温浴効果が得られる設定温度（例えば３８℃程度）に保つため、温度計６２の計測値に基づき液体供給手段２１に設けられたヒータのオン・オフ等を行う。
【００３４】
そこで、上記の炭酸ガスミスト圧浴システムと本考案の炭酸ガスミスト圧浴用カバーを用いた炭酸ガスミスト圧浴の方法を説明する。まず、袋状の生体カバー部材１０１を広げ、炭酸ガスミスト圧浴を行いたい生体の部位（ここでは人体の手部）を生体カバー部材１０１内に挿入する。次いで、締付部１０２の紐１０２ａを引いて締め付け、紐１０２ａを紐止め１０２ｂで固定する。さらに、生体カバー部材１０１の開口部の貼着部１０６を手首周りに貼り付けて、生体カバー部材１０１内部を略密閉状態とする。また、排出口１０４から内部の空気をできるだけ排出しておく。それから炭酸ガス供給手段１１から炭酸ガスを、液体供給手段２１から液体を、炭酸ガスミスト供給装置３１へ供給する。その際制御装置５１は、液体及び炭酸ガスの供給圧や量、温度等の調整を行う。炭酸ガスミスト供給装置３１は炭酸ガスと液体の破砕乳化ミストを生成し、これを供給口１０３、加圧部１０５、接続部１０７を介して生体カバー部材１０１内へ供給する。生体カバー部材１０１内にミストが十分に充填された場合は、炭酸ガス供給手段１１から直接炭酸ガスのみを生体カバー部材１０１内に供給する。このとき、生体カバー部材１０１内には炭酸ガスが約９５−９７％、液体が約３−５％の割合で存在するようにする。ミスト中には約４０ｐｐｍの濃度で炭酸ガスが溶解しており、その気泡サイズは約２３２ｐｍとなる。また制御装置５１は、温度計６２の計測値から、生体カバー部材１０１内が最適な加温状態（約３８℃）となるよう制御する。そして、生体カバー部材１０１と加圧部１０５に最適な量の炭酸ガスミストまたは炭酸ガスが溜まったところで制御装置５１は炭酸ガスミストまたは炭酸ガスの供給を一旦停止する。次いで、加圧部１０５を押し潰すように押圧することで加圧部１０５内の炭酸ガスミストまたは炭酸ガスを生体カバー部材１０１内に排出し、生体カバー部材１０１内を適度（約１．０５乃至２．５気圧）に加圧する。圧力が高くなりすぎた場合や内部の炭酸ガスミスト及び炭酸ガスを入れ替えたい場合は、排出口１０４から簡便に排気しその調整が可能である。このようにして最適な炭酸ガスミスト圧浴を行う。
【００３５】
上記実施形態では、炭酸ガスミスト圧浴を行う生体の部位として、人体の手部（手指、手の平、及び手の甲）を例に挙げて説明したが、本考案の炭酸ガスミスト圧浴用カバーは、その他様々な部位に適用することができる。図４は、本考案の他の実施形態に係る炭酸ガスミスト圧浴用カバーの装着状態を示す模式図である。なお、図４に係る実施形態においては、生体カバー部材２０１、３０１、４０１の形状が異なる以外は、上記図１に係る実施形態と同様の構成を有するため、各部の詳細な説明は省略する。
【００３６】
図３が手指、手の平、及び手の甲を覆う短い手袋形状の炭酸ガスミスト圧浴用カバーであったのに対し、図４（ａ）では、手に加えてさらに前腕も覆う長手袋形状の炭酸ガスミスト圧浴用カバー２００を示している。この長手袋形状の炭酸ガスミスト圧浴用カバー２００も、生体カバー部材２０１と、締付部２０２と、炭酸ガスミスト供給口２０３と、排出口２０４と、加圧部２０５と、貼着部２０６と、接続部２０７から構成される。
【００３７】
次に、図４（ｂ）は、足（足指、足底、及び足の甲）用の靴下形状の炭酸ガスミスト圧浴用カバー３００を示している。この靴下形状の炭酸ガスミスト圧浴用カバー３００も、生体カバー部材３０１と、締付部３０２と、炭酸ガスミスト供給口３０３と、排出口３０４と、加圧部３０５と、貼着部３０６と、接続部３０７から構成される。
【００３８】
図４（ｂ）が足指、足底、及び足の甲を覆う短い靴下形状の炭酸ガスミスト圧浴用カバー３００であったのに対し、図４（ｃ）では、足に加えてさらに踝、下肢も覆う長靴下形状の炭酸ガスミスト圧浴用カバー４００を示している。この長靴下形状の炭酸ガスミスト圧浴用カバー４００も、生体カバー部材４０１と、締付部４０２と、炭酸ガスミスト供給口４０３と、排出口４０４と、加圧部４０５と、貼着部４０６と、接続部４０７から構成される。
【００３９】
なお、上記実施形態では加圧部を、接続部を介して生体カバー部材に連通して設けられる中空のガス溜としたが、このほか生体カバー部材内を簡便に加圧できるものであればどのようなものを用いても良い。以下、他の加圧部の構成例について説明する。
【００４０】
図５は、本考案の他の実施形態に係る炭酸ガスミスト圧浴用カバーの装着状態を示す模式図である。ここでは、加圧部５０５が生体カバー部材を狭窄させる狭窄リングから構成される炭酸ガスミスト圧浴用カバー５００について説明する。なお、本実施形態において、生体カバー部材５０１、供給口５０３、加圧部５０５の構成が異なる以外は、上記図１に係る実施形態と同様の構成を有するため、上記以外の各部の詳細な説明は省略する。
【００４１】
この炭酸ガスミスト圧浴用カバー５００は、袋状の生体カバー部材５０１と、この生体カバー部材５０１の開口部に設けられ、炭酸ガスミスト及び炭酸ガスの放散を防ぐ締付部５０２と、内部に逆流防止弁を備え、炭酸ガスミスト圧浴用カバー５００の内部に炭酸ガスミスト及び炭酸ガスを導入する炭酸ガスミスト供給口５０３と、炭酸ガスミスト圧浴用カバー５００の内部の空気や炭酸ガスミスト、炭酸ガスの量を調整したり排出したりするための排出口５０４と、生体カバー部材５０１内を加圧するための加圧部（狭窄リング）５０５と、から構成される。
【００４２】
加圧部（狭窄リング）５０５は、ゴム等の弾性部材から形成された、細孔を有するリングである。その細孔に袋状の生体カバー部材５０１の先端部（袋底部）５０１ａを通して図５の矢印方向にスライドさせると、先端部（袋底部）５０１ａは加圧部（狭窄リング）５０５の細孔によって狭窄され、炭酸ガスミスト及び炭酸ガスは生体カバー部材５０１の先端部（袋底部）５０１ａ近傍から生体カバー部材５０１の生体を挿入した側へ移動する。このように加圧部（狭窄リング）５０５は、スライドすることにより、先端部（袋底部）５０１ａ近傍から炭酸ガスミスト及び炭酸ガスを抜きながら、生体カバー部材５０１内を加圧（約１．０５乃至２．５気圧）する。
【００４３】
なお、本実施形態では、加圧部５０５として上記の狭窄リングに代えてクリップ等を用いることもできる。つまり、生体カバー部材５０１の先端部５０１ａから狭窄することによって炭酸ガスミスト及び炭酸ガスを抜き、生体カバー部材５０１内の加圧を行うことができるものであれば、何を用いても良い。加圧部５０５は手動でスライド、固定させる構成であっても良いし、制御手段５１の制御により駆動装置等でこれらの動作を機械的に行うものであっても良い。また、加圧部５０５のスライド動作による加圧は、所定のインターバルでパルス状に行うようにしても良い。さらに、上記実施形態では適用する生体の部位として人体の手部を例に図示したが、このほか様々な部位に適用できることは言うまでもない。
【００４４】
次に、加圧部６０５が略球状の中空のガス溜からなる炭酸ガスミスト圧浴用カバー６００について説明する。図６は、本考案の他の実施形態に係る炭酸ガスミスト圧浴用カバーの装着状態を示す模式図である。なお、本実施形態において、生体カバー部材６０１、供給口６０３、加圧部６０５の構成が異なる以外は、上記図１に係る実施形態と同様の構成を有するため、上記以外の各部の詳細な説明は省略する。
【００４５】
この炭酸ガスミスト圧浴用カバー６００は、袋状の生体カバー部材６０１と、この生体カバー部材６０１の開口部に設けられ、炭酸ガスミスト及び炭酸ガスの放散を防ぐ締付部６０２と、内部に逆流防止弁を備え、炭酸ガスミスト圧浴用カバー６００の内部に炭酸ガスミスト及び炭酸ガスを導入する炭酸ガスミスト供給口６０３と、炭酸ガスミスト圧浴用カバー６００の内部の空気や炭酸ガスミスト、炭酸ガスの量を調整したり排出したりするための排出口６０４と、生体カバー部材６０１内を加圧するための加圧部（ガス溜）６０５と、から構成される。
【００４６】
加圧部（ガス溜）６０５は、生体カバー部材６０１と連通して設けられた略球状のガス溜から構成される。生体カバー部材６０１とは縊れ部６０５ａにより区切られている。そして、この加圧部（ガス溜）６０５を押し潰すように押圧することにより炭酸ガスミストまたは炭酸ガスを生体カバー部材６０１内に排出し、生体カバー部材１０１内を適度（約１．０５乃至２．５気圧）に加圧する。
【００４７】
なお、加圧部６０５には専用のカバーを設けるようにしても良い。また、加圧部６０５の押圧は手動であっても制御手段５１により駆動装置等で機械的に行うものであっても良い。また、加圧部６０５による加圧は、所定のインターバルでパルス状に行うようにしても良い。さらに、上記実施形態では適用する生体の部位として人体の手部を例に図示したが、このほか様々な部位に適用できることは言うまでもない。
【００４８】
次に、加圧部７０５が生体カバー部材７０１を外側から押圧する押圧リングからなる炭酸ガスミスト圧浴用カバー７００について説明する。図７は、本考案の他の実施形態に係る炭酸ガスミスト圧浴用カバーの装着状態を示す模式図である。なお、本実施形態において、生体カバー部材７０１、供給口７０３、加圧部７０５の構成が異なる以外は、上記図１に係る実施形態と同様の構成を有するため、上記以外の各部の詳細な説明は省略する。
【００４９】
この炭酸ガスミスト圧浴用カバー７００は、袋状の生体カバー部材７０１と、この生体カバー部材７０１の開口部に設けられ、炭酸ガスミスト及び炭酸ガスの放散を防ぐ締付部７０２と、内部に逆流防止弁を備え、炭酸ガスミスト圧浴用カバー７００の内部に炭酸ガスミスト及び炭酸ガスを導入する炭酸ガスミスト供給口７０３と、炭酸ガスミスト圧浴用カバー７００の内部の空気や炭酸ガスミスト、炭酸ガスの量を調整したり排出したりするための排出口７０４と、生体カバー部材７０１内を加圧するための加圧部（押圧リング）７０５と、から構成される。
【００５０】
加圧部（押圧リング）７０５は、ゴムやコイルばね等の弾性部材から構成された、中央に孔を有するリングである。その孔に袋状の生体カバー部材７０１の先端部（袋底部）７０１ａを通し、生体カバー部材７０１を加圧部（押圧リング）７０５の収縮力によって外側から押圧する。なお、生体カバー部材７０１には加圧部（押圧リング）７０５のズレを防ぐために、縊れ部７０１ｂが形成されている。この縊れ部７０１ｂに加圧部（押圧リング）７０５を掛けてその収縮力によって外側から押圧することにより、生体カバー部材７０１内を適度（約１．０５乃至２．５気圧）に加圧する。
【００５１】
なお、上記実施形態では適用する生体の部位として人体の手部を例に図示したが、このほか様々な部位に適用できることは言うまでもない。
【００５２】
次に、加圧部８０５が主に生体カバー部材８０１に隣接したガス溜８０５ｂとポンプ（シリンジ）８０５ｃから構成される炭酸ガスミスト圧浴用カバー８００について説明する。図８は、本考案の他の実施形態に係る炭酸ガスミスト圧浴用カバーの装着状態を示す模式図である。なお、本実施形態において、生体カバー部材８０１、供給口８０３、加圧部８０５の構成が異なる以外は、上記図１に係る実施形態と同様の構成を有するため、上記以外の各部の詳細な説明は省略する。
【００５３】
この炭酸ガスミスト圧浴用カバー８００は、袋状の生体カバー部材８０１と、この生体カバー部材８０１の開口部に設けられ、炭酸ガスミスト及び炭酸ガスの放散を防ぐ締付部８０２と、内部に逆流防止弁を備え、炭酸ガスミスト圧浴用カバー８００の内部に炭酸ガスミスト及び炭酸ガスを導入する炭酸ガスミスト供給口８０３と、炭酸ガスミスト圧浴用カバー８００の内部の空気や炭酸ガスミスト、炭酸ガスの量を調整したり排出したりするための排出口８０４と、生体カバー部材８０１内を加圧するための加圧部８０５と、から構成される。
【００５４】
加圧部８０５は、生体カバー部材８０１内にガス溜８０５ｂを画成するように設けられた遮蔽膜８０５ａと、この遮蔽膜８０５ａによって生体カバー部材８０１内に形成されたガス溜８０５ｂと、このガス溜８０５ｂに空気を注入するシリンジ８０５ｃから構成される。なお、８０５ｄはガス溜８０５ｂとシリンジ８０５ｃとが接続される空気注入口である。
【００５５】
遮蔽膜８０５ａは、弾性及び非通気性を有する素材（例えばシリコンゴム、ラテックスゴム等）から構成され、生体カバー部材８０１内にガス溜８０５ｂを画成する。ガス溜８０５ｂにはシリンジ８０５ｃと接続するための空気注入口８０５ｄが形成されている。そして、遮蔽膜８０５ａで区切られたガス溜８０５ｂに、シリンジ８０５ｃによって空気を送気することによって、弾性素材からなる遮蔽膜８０５ａを生体の挿入側に風船状に膨張させる。これにより生体カバー部材７０１内を適度（約１．０５乃至２．５気圧）に加圧する。
【００５６】
なお、本実施形態では、加圧部８０５のシリンジ８０５ｃは手動でガス溜８０５ｂに空気を送出する構成であっても良いし、制御手段５１の制御により駆動装置等でこれらの動作を機械的に行うものであっても良い。また、シリンジ８０５ｃの動作は、所定のインターバルでパルス状に行うようにしても良い。さらに、上記実施形態では適用する生体の部位として人体の手部を例に図示したが、このほか様々な部位に適用できることは言うまでもない。
【００５７】
なお、上記した各実施形態では、炭酸ガスミスト圧浴用カバーを人体に適用する例を示したが、本考案の炭酸ガスミスト圧浴用カバーは、人体に限らず動物等に用いても良い。
【００５８】
上記のように構成したため、本考案によれば、大量の炭酸ガスを必要とせず、さらに炭酸ガスミスト圧浴用カバー内の空気等の排出や、カバー内部の圧力調整を簡単に行いながら、効率的に炭酸ガスミストを生体の皮膚及び粘膜から吸収させることが可能となる。
【００５９】
以上、本考案の実施形態について説明したが、本考案は上記実施形態に限定されるものではなく、本考案の趣旨に基づき種々の変形が可能であり、これらを本考案の範囲から排除するものではない。
【産業上の利用可能性】
【００６０】
本考案は、炭酸ガスを生体の皮膚及び粘膜に直接接触させて血液循環を改善させるための炭酸ガスミスト圧浴に用いる炭酸ガスミスト圧浴用カバーに関し、産業上の利用可能性を有する。
【図面の簡単な説明】
【００６１】
【図１】本考案の炭酸ガスミスト圧浴用カバーを適用する炭酸ガスミスト圧浴用システムの一例を示す模式図である。
【図２】本考案の一実施形態に係る炭酸ガスミスト圧浴用カバーの全体概略図である。
【図３】本考案の一実施形態に係る炭酸ガスミスト圧浴用カバー（手指、手の平、及び手の甲を覆う短い手袋形状）の装着状態を示す模式図である。
【図４】本考案の他の実施形態に係る炭酸ガスミスト圧浴用カバーの、生体の様々な部位への装着状態を示す模式図である。
【図５】本考案の他の実施形態に係る、異なる加圧部を有する炭酸ガスミスト圧浴用カバーの装着状態を示す模式図（その１）である。
【図６】本考案の他の実施形態に係る、異なる加圧部を有する炭酸ガスミスト圧浴用カバーの装着状態を示す模式図（その２）である。
【図７】本考案の他の実施形態に係る、異なる加圧部を有する炭酸ガスミスト圧浴用カバーの装着状態を示す模式図（その３）である。
【図８】本考案の他の実施形態に係る、異なる加圧部を有する炭酸ガスミスト圧浴用カバーの装着状態を示す模式図（その４）である。
【符号の説明】
【００６２】
１１    炭酸ガス供給手段
１２    レギュレータ
２１、２１Ａ、２１Ｂ    液体供給手段
２２、２２Ａ、２２Ｂ    圧力計
３１    炭酸ガスミスト供給手段
３２    流体ノズル
５１    制御装置
６１    圧力計
６２    温度計
１００、２００、３００、４００、５００、６００、７００、８００    炭酸ガスミスト圧浴用カバー
１０１、２０１、３０１、４０１、５０１、６０１、７０１、８０１    生体カバー部材
１０２、２０２、３０２、４０２、５０２、６０２、７０２、８０２    締付部
１０２ａ    紐
１０２ｂ    紐止め
１０３、２０３、３０３、４０３、５０３、６０３、７０３、８０３    炭酸ガスミスト供給口
１０７、２０７、３０７、４０７    接続部
１０４、２０４、３０４、４０４、５０４、６０４、７０４、８０４    排出口
１０５、２０５、３０５、４０５、５０５、６０５、７０５、８０５    加圧部
１０６、２０６、３０６、４０６、５０６、６０６、７０６、８０６    貼着部
５０１ａ、７０１ａ    先端部（袋底部）
６０５ａ、７０１ｂ    縊れ部
８０５ａ    遮蔽膜
８０５ｂ    ガス溜
８０５ｃ    シリンジ
８０５ｄ    空気注入口
【図１】
0003149167.tif 000003
【図２】
0003149167.tif 000004
【図３】
0003149167.tif 000005
【図４】
0003149167.tif 000006
【図５】
0003149167.tif 000007
【図６】
0003149167.tif 000008
【図７】
0003149167.tif 000009
【図８】
0003149167.tif 000010